(57)【要約】【課題】加熱調理器の前面部を容易に色分けできる加熱調理器を提供する。【解決手段】コンロ本体３のコンロ操作部に装着される正面視逆Ｕ字形状の枠部材４０は、中央側枠部材４１と、右側枠部材４２と、左側枠部材４３とを備える。中央側枠部材４１は梁部材９３に、右側枠部材４２は右側操作ユニット１８及び筐体９に、左側枠部材４３は左側操作ユニット１９及び筐体９に、夫々着脱可能に装着される。この結果、枠部材４０は、コンロ操作部の下縁部を除く周縁部に設けられる。このようなコンロのコンロ操作部であれば、枠部材４０が備える中央側枠部材４１、右側枠部材４２及び左側枠部材４３や、コンロ操作部が備える操作パネル２１，２４等の部品毎に色分けをすれば、塗装をすることなく容易に色分けできる。【選択図】図２
2014054466.tif 000002
【特許請求の範囲】
【請求項１】
加熱手段を有する調理器本体を備える加熱調理器であって、
前記調理器本体の、使用者に対向する前側には正面視矩形状の前面部が設けられ、
前記前面部の下縁部を除く周縁部には、正面視逆Ｕ字形状の枠部材が着脱可能に設けられたことを特徴とする加熱調理器。
【請求項２】
前記枠部材は、
前記調理器本体の左右方向に延設され前記前面部の上縁部に対応する上側部と、
前記上側部の右端部から下方に延設され前記前面部の右縁部に対応する正面視帯状の右側部と、
前記上側部の左端部から下方に延設され前記前面部の左縁部に対応する正面視帯状の左側部と、
前記右側部から後方に延設され前記調理器本体の右側面の一部を覆う右側覆い部と、
前記左側部から後方に延設され前記調理器本体の左側面の一部を覆う左側覆い部と
を備え、
前記右側覆い部の後端部には、該後端部に沿って複数の右側固定部が設けられ、
前記左側覆い部の後端部には、該後端部に沿って複数の左側固定部が設けられ、
前記右側面には、前記複数の右側固定部の夫々に対応する前記右側固定部を固定する為の複数の右側被固定部が設けられ、
前記左側面には、前記複数の左側固定部の夫々に対応する前記左側固定部を固定する為の複数の左側被固定部が設けられたことを特徴とする請求項１に記載の加熱調理器。
【請求項３】
前記前面部において前記枠部材に囲まれる領域のうち少なくとも上側は、前記上側部よりも後方に位置することを特徴とする請求項２に記載の加熱調理器。
【請求項４】
前記領域は、上部から前方に向かって斜め下方に傾斜し、
前記領域の下側に、前記加熱手段を操作する操作スイッチが設けられたことを特徴とする請求項３に記載の加熱調理器。
【請求項５】
前記右側面は、
前記右側面の後端側の領域を含む第一右側面と、
前記右側面の前端側の領域を含み、且つ前記第一右側面よりも前記調理器本体の左右方向中央側に位置する第二右側面と、
前記第一右側面の前端部と前記第二右側面の後端部との段差をつなぐ右側段差面と
を備え、
前記左側面は、
前記左側面の後端側の領域を含む第一左側面と、
前記左側面の前端側の領域を含み、且つ前記第一左側面よりも前記調理器本体の左右方向中央側に位置する第二左側面と、
前記第一左側面の前端部と前記第二左側面の後端部との段差をつなぐ左側段差面と
を備え、
前記第二右側面と前記右側段差面によって、前記調理器本体の右前角部に平面視Ｌ字形状の右側切欠部が形成され、前記右側覆い部は前記右側切欠部に配置され、さらに、前記右側被固定部は前記右側段差面に設けられ、
前記第二左側面と前記左側段差面によって、前記調理器本体の左前角部に平面視Ｌ字形状の左側切欠部が形成され、前記左側覆い部は前記左側切欠部に配置され、さらに、前記左側被固定部は前記左側段差面に設けられたことを特徴とする請求項２から４の何れかに記載の加熱調理器。
【請求項６】
前記前面部は、前記調理器本体の内部に設けられたグリル庫の開口部を閉塞するグリル扉を備え、
前記上側部は少なくとも前記グリル扉と対向する部分が樹脂で形成されたことを特徴とする請求項２から５の何れかに記載の加熱調理器。
【発明の詳細な説明】
【技術分野】
【０００１】
本発明は、加熱調理器に関する。
【背景技術】
【０００２】
従来、加熱調理器の一例であるコンロはコンロ本体の上部に天板を備えている（例えば、特許文献１参照）。天板には複数のバーナが設けられている。これに対し、コンロ本体の前面部には、前記複数のバーナの夫々に対応して点火消火を行う為の複数の点火スイッチ、火力調節レバー、コンロ本体内に設置されたグリル庫の開口部を開閉する為のグリル扉が設けられている。このような前面部は、ユーザから見て正面に位置すると共に、直接手で触れて操作する部位が多い。それ故、コンロの中でユーザの注意を最も引きやすい部位といえる。そこで、このような前面部を、例えば、部品毎に複数の色で色分けすることで、コンロの全体のデザイン性を向上させ、他製品と差別化を図ることが考えられる。このような色分けの一般的な方法としては、塗装による方法が考えられる。
【先行技術文献】
【特許文献】
【０００３】
【特許文献１】特開２００８−１９０８３４号公報
【発明の概要】
【発明が解決しようとする課題】
【０００４】
しかしながら、塗装による方法は、時間と手間がかかる上に、熟練した技術が必要であることから量産には適さなかった。また、塗装が途中で失敗した場合、塗装が失敗した部品を廃棄し、新しい部品で塗装を最初からやり直さなければならず手間がかかる等の問題点もあった。さらに、塗装や部品廃棄に伴って製造コストが増加する問題点もあった。
【０００５】
本発明の目的は、加熱調理器の前面部を容易に色分けできる加熱調理器を提供することである。
【課題を解決するための手段】
【０００６】
本発明の請求項１に係る加熱調理器は、加熱手段を有する調理器本体を備える加熱調理器であって、前記調理器本体の、使用者に対向する前側には正面視矩形状の前面部が設けられ、前記前面部の下縁部を除く周縁部には、正面視逆Ｕ字形状の枠部材が着脱可能に設けられている。
【０００７】
また、本発明の請求項２に係る加熱調理器は、請求項１に記載の発明の構成に加え、前記枠部材は、前記調理器本体の左右方向に延設され前記前面部の上縁部に対応する上側部と、前記上側部の右端部から下方に延設され前記前面部の右縁部に対応する正面視帯状の右側部と、前記上側部の左端部から下方に延設され前記前面部の左縁部に対応する正面視帯状の左側部と、前記右側部から後方に延設され前記調理器本体の右側面の一部を覆う右側覆い部と、前記左側部から後方に延設され前記調理器本体の左側面の一部を覆う左側覆い部とを備え、前記右側覆い部の後端部には、該後端部に沿って複数の右側固定部が設けられ、前記左側覆い部の後端部には、該後端部に沿って複数の左側固定部が設けられ、前記調理器本体の前記右側面には、前記複数の右側固定部の夫々に対応する前記右側固定部を固定する為の複数の右側被固定部が設けられ、前記調理器本体の前記左側面には、前記複数の左側固定部の夫々に対応する前記左側固定部を固定する為の複数の左側被固定部が設けられている。
【０００８】
また、本発明の請求項３に係る加熱調理器は、請求項２に記載の発明の構成に加え、前記前面部において前記枠部材に囲まれる領域のうち少なくとも上側は、前記上側部よりも後方に位置している。
【０００９】
また、本発明の請求項４に係る加熱調理器は、請求項３に記載の発明の構成に加え、前記領域は、上部から前方に向かって斜め下方に傾斜し、前記領域の下側に、前記加熱手段を操作する操作スイッチが設けられている。
【００１０】
また、本発明の請求項５に係る加熱調理器は、請求項２から４の何れかに記載の発明の構成に加え、前記右側面は、前記右側面の後端側の領域を含む第一右側面と、前記右側面の前端側の領域を含み、且つ前記第一右側面よりも前記調理器本体の左右方向中央側に位置する第二右側面と、前記第一右側面の前端部と前記第二右側面の後端部との段差をつなぐ右側段差面とを備え、前記左側面は、前記左側面の後端側の領域を含む第一左側面と、前記左側面の前端側の領域を含み、且つ前記第一左側面よりも前記調理器本体の左右方向中央側に位置する第二左側面と、前記第一左側面の前端部と前記第二左側面の後端部との段差をつなぐ左側段差面とを備え、前記第二右側面と前記右側段差面によって、前記調理器本体の右前角部に平面視Ｌ字形状の右側切欠部が形成され、前記右側覆い部は前記右側切欠部に配置され、さらに、前記右側被固定部は前記右側段差面に設けられ、前記第二左側面と前記左側段差面によって、前記調理器本体の左前角部に平面視Ｌ字形状の左側切欠部が形成され、前記左側覆い部は前記左側切欠部に配置され、さらに、前記左側被固定部は前記左側段差面に設けられている。
【００１１】
また、本発明の請求項６に係る加熱調理器は、請求項２から５の何れかに記載の発明の構成に加え、前記前面部は、前記調理器本体の内部に設けられたグリル庫の開口部を閉塞するグリル扉を備え、前記上側部は少なくとも前記グリル扉と対向する部分が樹脂で形成されている。
【発明の効果】
【００１２】
請求項１に係る発明の加熱調理器では、前面部に枠部材が設けられるので、枠部材や前面部を構成する部品ごとに色分けすれば、加熱調理器の前面部を容易に色分けできる。また、前面部の周囲に、正面視逆Ｕ字形状の枠部材が装着されるので、前面部が枠部材によって下縁部を除く周囲を覆われた状態となる。これにより、加熱調理器全体の中でユーザの注意が引きやすい前面部を、より目立たせることができる。さらに、枠部材は着脱可能であるので、ユーザの好みに合わせて、加熱調理器の前面部を部分的に自由に変更できる。
【００１３】
請求項２に係る発明の加熱調理器では、請求項１に記載の発明の効果に加え、枠部材の右側部及び右側覆い部は調理器本体の右前角部を覆い、左側部及び左側覆い部は、調理器本体の左前角部を覆う。これにより、枠部材の右側角部及び左側角部が強調されるので、加熱調理器を斜め前方から見た場合でも、前面部が強調されて見える。また、枠部材の右側覆い部及び左側覆い部は、夫々の後端部に沿って設けられる固定部によって、調理器本体の右側面及び左側面に固定される。従って、右側覆い部及び左側覆い部に、夫々の後端部に沿って前面部の中央側に向かって湾曲する反りが発生した場合であっても、調理器本体が、反りを矯正できる。それ故、調理器本体の右側面及び左側面の見栄えを向上させることができる。
【００１４】
請求項３に係る発明の加熱調理器では、請求項２に記載の発明の効果に加え、前面部のうち枠部材に囲まれる領域の少なくとも上側が、枠部材の上側部よりも後方に位置することで、上側部に付着した煮汁が落下する場合があっても、落下する煮汁は、領域の上側に付着しにくい。それ故、上側部から落下する煮汁が、前面部と上側部との境界部を介して調理器本体内部に侵入することを防止できる。
【００１５】
請求項４に係る発明の加熱調理器では、請求項３に記載の発明の効果に加え、領域が、前方に対して斜め上方を向いているので、ユーザが上側から加熱調理器を見下ろす場合に前面部を視認し易い。また、領域の下側にある操作スイッチは、加熱調理器の前側に位置するので、ユーザは操作スイッチを操作し易い。それ故、加熱調理器の操作性を向上させることができる。さらに、前面部が垂直に立設される場合と比較して、前面部の見栄えをより向上させることができる。
【００１６】
請求項５に係る発明の加熱調理器では、請求項２から４の何れかに記載の発明の効果に加え、右側覆い部は、右側切欠部に配置され、且つ右側段差面に設けられた右側被固定部に固定される。従って、調理器本体のうち右側切欠部よりも後方にある第一右側面と、右側覆い部の右側面とは同一平面上に位置できる。同様に、調理器本体のうち左側切欠部よりも後方にある左側面と、左側覆い部の左側面とは同一平面上に位置できる。それ故、加熱調理器の右側面及び左側面の見栄えをより向上させることができる。
【００１７】
請求項６に係る発明の加熱調理器では、請求項２から５の何れかに記載の発明の効果に加え、加熱調理器の使用時において、グリル扉は前面部にある部品の中で比較的温度が高くなる。枠部材の上側部のうち、少なくともこのグリル扉に対向する部分が樹脂で形成されるので、対向部材にユーザが触れる場合があっても、ユーザが感じる温度は、対向部材が金属等で形成される場合に比較して低い。それ故、加熱調理器の安全性をより向上させることができる。
【図面の簡単な説明】
【００１８】
【図１】コンロ１の斜視図である。
【図２】コンロ本体３及び枠部材４０の分解斜視図である。
【図３】コンロ本体３の正面図である。
【図４】筐体９、右側操作ユニット１８、及び左側操作ユニット１９の分解斜視図である。
【図５】筐体９の正面図である。
【図６】右側操作ユニット１８を背面側からみた斜視図である。
【図７】左側操作ユニット１９を背面側からみた斜視図である。
【図８】梁部材９３及び中央側枠部材４１を背面側からみた斜視図である。
【図９】枠部材４０を背面側からみた斜視図である。
【図１０】図１に示すＩ−Ｉ線の矢視方向からみたコンロ１前側の拡大断面図である。
【図１１】コンロ操作部３０の前面部を色分けしたコンロ１を前側からみた斜視図である。
【発明を実施するための形態】
【００１９】
以下、本発明の一実施形態であるコンロ１について、図面に基づいて説明する。これらの図面は、本発明が採用しうる技術的特徴を説明するために用いられるものである。
【００２０】
図１を参照して、コンロ１の物理的構成について説明する。コンロ１は、トッププレート２と、コンロ本体３を備える。トッププレート２はコンロ本体３の天面に取り付けられている。トッププレート２の左側には開口部７が形成されている。右側には開口部８が形成されている。開口部７，８は平面視円形状である。開口部７の内側には標準バーナ５が設けられている。開口部８の内側には強火力バーナ６が設けられている。開口部７，８の各上部には五徳１１，１２が各々設けられている。五徳１１，１２の各上部には調理鍋（図示略）等が各々載置される。
【００２１】
トッププレート２の後方には、グリル排気口（図示略）が設けられている。グリル排気口はグリル庫３９（図２参照）内の排気を行う為の開口である。グリル庫３９はコンロ１の中央内部に設けられている。グリル排気口には排気口カバー１３，１４が設置されている。排気口カバー１３，１４は複数の排気孔１３Ａ，１４Ａを備える。
【００２２】
コンロ本体３は略直方体状である。コンロ本体３の前面側には、コンロ操作部３０が設けられている。コンロ操作部３０は、グリル扉１７、右側操作ユニット１８、左側操作ユニット１９を備える。グリル扉１７は、コンロ操作部３０の左右方向略中央に設けられている。グリル扉１７は、コンロ本体３内に設置されたグリル庫３９（図２参照）のグリル開口を開閉する。グリル扉１７は、グリル庫３９内の受け皿１０及び焼き網１１（図１０参照）を引き出し可能である。グリル扉１７の前面下部には前方に突出する取手１５が設けられている。取手１５の上方には、正面視横長矩形状の覗き窓１６が設けられている。ユーザは、覗き窓１６を介してグリル庫３９内の被調理物の焼け具合を確認できる。
【００２３】
右側操作ユニット１８は、コンロ操作部３０の右部に位置する。右側操作ユニット１８の前面である操作パネル２１の下部には、点火スイッチ２２，２３が左右方向に並んで設けられている。点火スイッチ２２は操作パネル２１の左側に位置し、点火スイッチ２３は右側に位置する。点火スイッチ２２は強火力バーナ６の点火消火を行い、点火スイッチ２３はグリルバーナ（図示略）の点火消火を行う。点火スイッチ２２の上方には、火力調節レバー２６が設けられている。火力調節レバー２６は、強火力バーナ６の火力調整を行う。点火スイッチ２３の上方には、火力調節レバー２７が設けられている。火力調節レバー２７は、グリルバーナ（図示略）の火力調整を行う
【００２４】
左側操作ユニット１９は、コンロ操作部３０の左部に位置する。左側操作ユニット１９の前面である操作パネル２４の下部には、点火スイッチ２５と、電池ボックス２９が設けられている。点火スイッチ２５は右側に位置し、電池ボックス２９は左側に位置する。点火スイッチ２５は、標準バーナ５の点火消火を行う。電池ボックス２９は、２つの乾電池（図示略）が収納可能である。点火スイッチ２５の上方には、火力調節レバー２８が設けられている。火力調節レバー２８は、標準バーナ５の火力調整を行う。
【００２５】
ここで、覗き窓１６及び操作パネル２１，２４は、略同一平面を形成し、上部から前方に向かって斜め下方に傾斜している。覗き窓１６及び操作パネル２１，２４は斜め上方に向いているので、ユーザがコンロ１のコンロ操作部３０を上方から見下ろす場合において、覗き窓１６及び操作パネル２１，２４は、ユーザの視線に対向する位置関係となっている。それ故、ユーザが上側からコンロ１を見下ろす場合にコンロ操作部３０を視認し易い。また、覗き窓１６及び操作パネル２１，２４が傾斜していることで、コンロ操作部３０が垂直に立設される場合と比較して、コンロ操作部３０の見栄えがより向上する。
【００２６】
また、点火スイッチ２２，２３，２５は、操作パネル２１，２４の下側に設けられている。従って、点火スイッチ２２，２３，２５は、コンロ１の前側に位置するので、ユーザはこれらの点火スイッチを操作し易い。
【００２７】
上記構成を備えるコンロ操作部３０の、下縁部を除く周縁部には、コンロ操作部３０の周囲を取り囲むようにして着脱可能に装着されている。枠部材４０は正面視逆Ｕ字形状に形成され、中央側枠部材４１と、右側枠部材４２と、左側枠部材４３とを備える。中央側枠部材４１は、枠部材４０に対してグリル扉１７と対向する部分に置いて分割されている。中央側枠部材４１はコンロ操作部３０の上縁部に沿って装着され、右側枠部材４２はコンロ操作部３０の右縁部に沿って装着され、左側枠部材４３はコンロ操作部３０の左縁部に沿って装着されている。なお、枠部材４０の具体的構成については後述する。
【００２８】
次に、図２〜図８を参照し、コンロ本体３の構造について具体的に説明する。図２に示すように、コンロ本体３には筐体９が設けられている。筐体９は金属製であり、上側が開口する略直方体形状である。筐体９の内側において、左右方向略中央にはグリル庫３９が設置されている。グリル庫３９は前側にグリル開口を有する直方体形状である。グリル庫３９には複数のグリルバーナ（図示略）が設けられている。グリル庫３９の左側には標準バーナ５が設けられ、右側には強火力バーナ６が設けられている。なお、図２ではグリル扉１７（図１参照）を省略している。
【００２９】
図４に示すように、筐体９の前端部は、第一右側被取付部９１と、第二右側被取付部９５と、第一左側被取付部９２と、第二左側被取付部９６（図５参照）と、梁部材９３と、開口部９４とを備える。第一右側被取付部９１及び第二右側被取付部９５には、上述した右側操作ユニット１８（図１参照）が取り付けられる。第一左側被取付部９２及び第二左側被取付部９６には、上述した左側操作ユニット１９（図１参照）が取り付けられる。
【００３０】
第一右側被取付部９１は、筐体９の前端右部から前方に突出する略直方体形状である。第二右側被取付部９５は、上下方向を長手方向とする板状に形成されており、第一右側被取付部９１の右方後端から、筐体９の右側壁９Ａの前面９Ｅへ右方に延びる。第二右側被取付部９５の後面は前面９Ｅに当接する。すなわち、第二右側被取付部９５の前面は、第二右側被取付部９５の板厚分だけ、前面９Ｅよりも前方に位置する。第一右側被取付部９１の前面の下側には、３つの貫通孔９１Ａが左右方向に等間隔に各々設けられている。第一右側被取付部９１の上面には、３つの螺子孔９１Ｂが左右方向に等間隔に各々設けられている。前面９Ｅには、３つの被係止部９Ｈが上下方向に等間隔に各々設けられている。
【００３１】
第一左側被取付部９２は、筐体９の前端左部から前方に突出する略直方体形状である。第二左側被取付部９６は、上下方向を長手方向とする板状に形成されており、第一左側被取付部９２の左方後端から、筐体９の左側壁９Ｂの前面９Ｆへ左方に延びる。第二左側被取付部９６の後面は前面９Ｆに当接する。すなわち、第二左側被取付部９６の前面は、第二左側被取付部９６の板厚分だけ、前面９Ｆよりも前方に位置する。第一左側被取付部９２の前面の下側には、３つの貫通孔９２Ａが左右方向に等間隔に各々設けられている。第一左側被取付部９２の上面には、３つの螺子孔９２Ｂが左右方向に等間隔に各々設けられている。図５に示すように、前面９Ｆには、３つの被係止部９Ｉが上下方向に等間隔に各々設けられている。
【００３２】
図４に示すように、第一右側被取付部９１の前面と第一左側被取付部９２の前面とは、互いに略同一平面上に位置し、且つグリル庫３９のグリル開口に対向する部分を空けるようにして、左右方向に各々離れた位置に設けられている。梁部材９３は、金属で形成され、第一右側被取付部９１の左上部と第一左側被取付部９２の右上部との間に、略水平に渡すようにして固定されている。開口部９４は、第一右側被取付部９１の左端部と、第一左側被取付部９２の右端部と、梁部材９３と、筐体９の底壁とに囲まれることによって形成されている。開口部９４は正面視矩形状である。開口部９４はグリル庫３９のグリル開口と連通している。
【００３３】
図８に示すように、梁部材９３は、長手方向と直交する断面が略Ｌ字形状の長尺部材である。梁部材９３は、中央側枠部材４１を挟んでグリル扉１７と対向する（図１参照）。梁部材９３は、長尺板状の水平部９３Ａと、該水平部９３Ａの前端部から上方に延設された板状の支持部９３Ｂと、水平部９３Ａの左右方向の両端部に各々設けられた一対のＬ字形状の固定部９３Ｃとを備える。一対の固定部９３Ｃは、第一右側被取付部９１の左上部と第一左側被取付部９２の右上部とに各々固定される。支持部９３Ｂには、４つの係合孔９３Ｄが左右方向において等間隔に各々設けられている。
【００３４】
右側操作ユニット１８は、操作パネル２１と、点火スイッチ２２，２３と、右側取付部７５と、底部７８とを備える。底部７８は、点火スイッチ２２，２３の下側に設けられる。図６に示すように、底部７８の後端部には、３つの突起部７８Ａが左右方向に等間隔に各々設けられている。突起部７８Ａは後方に向けて突出する。
【００３５】
図２に示すように、右側取付部７５は、Ｌ字枠状で、操作パネル２１の上縁部と操作パネル２１及び底部７８の右縁部に沿って設けられている。右側取付部７５は、横方向部７５Ａと、縦方向部７５Ｂと、延設部７５Ｃを備える。横方向部７５Ａは左右方向に延設される。縦方向部７５Ｂは横方向部７５Ａの右端部から下方に延設される。延設部７５Ｃは、縦方向部７５Ｂの後端部から後方に延設され筐体９の第二右側被取付部９５（図４参照）に当接している。
【００３６】
横方向部７５Ａの前面には３つの嵌合孔７５Ｅが、左右方向において等間隔に各々設けられている。横方向部７５Ａの上面には３つの螺子孔７５Ｇが、左右方向において等間隔に各々設けられる（図６参照）。縦方向部７５Ｂには４つの嵌合孔７５Ｆが、上下方向において等間隔に各々設けられている。
【００３７】
延設部７５Ｃの外面７５Ｄは、筐体９の右側壁９Ａよりも中央側に位置する。それ故、コンロ本体３の右前角部には平面視Ｌ字形状の右側切欠部３３が形成される。上述した右側壁９Ａの前面９Ｅは、筐体９の右面９Ｃの前端部と外面７５Ｄの後端部との段差をつなぐ。被係止部９Ｈは、外面７５Ｄの右側に位置する。
【００３８】
左側操作ユニット１９は、操作パネル２４と、点火スイッチ２５と、電池ボックス２９と、左側取付部７６と、底部７９とを備える。底部７９は、点火スイッチ２５、電池ボックス２９の下側に設けられる。図７に示すように、底部７９の後端部には、３つの突起部７９Ａが左右方向に等間隔に各々設けられる。突起部７９Ａは後方に向けて突出する。
【００３９】
図２に示すように、左側取付部７６は、Ｌ字枠状で、操作パネル２４の上縁部と操作パネル２４及び底部７９の左縁部に沿って設けられている。左側取付部７６は、横方向部７６Ａと、縦方向部７６Ｂと、延設部７６Ｃを備える。横方向部７６Ａは左右方向に延設される。縦方向部７６Ｂは、横方向部７６Ａの左端部から下方に延設される。延設部７６Ｃは、縦方向部７６Ｂの後端部から後方に延設され筐体９の第二左側被取付部９６に当接している。
【００４０】
横方向部７６Ａの前面には３つの嵌合孔７６Ｅが、左右方向において等間隔に各々設けられている。横方向部７６Ａの上面には、３つの螺子孔７６Ｇが、左右方向において等間隔に設けられている（図７参照）。縦方向部７６Ｂには４つの嵌合孔７６Ｆが、上下方向において等間隔に各々設けられている。
【００４１】
延設部７６Ｃの外面７６Ｄは、筐体９の左面９Ｄよりも中央側に位置する。それ故、コンロ本体３の左前角部には平面視Ｌ字形状の左側切欠部３４が形成される。図２、図３に示すように、上述した左側壁９Ｂの前面９Ｆは、筐体９の左面９Ｄの前端部と外面７６Ｄの後端部との段差をつなぐ。被係止部９Ｉは、外面７６Ｄの左側に位置する。
【００４２】
次に、図８、図９を参照し、枠部材４０の構造について具体的に説明する。図９に示すように、枠部材４０は、樹脂で形成され、中央側枠部材４１と、右側枠部材４２と、左側枠部材４３とを備える。中央側枠部材４１、右側枠部材４２,及び左側枠部材４３は、樹脂の原材料より定まり、且つコンロ１のデザインに合わせて適宜決められる所定の同一色である。
【００４３】
中央側枠部材４１の形状について説明する。図８に示すように、中央側枠部材４１は左右方向に延設される。中央側枠部材４１は長手方向と直交する断面が略Ｕ字形状である。中央側枠部材４１は、内側がコンロ１後方に向く状態で配置される。中央側枠部材４１の内側には、４つの係合部４４が、左右方向において等間隔に各々設けられている。これらの係合部４４は、筐体９に取り付けられた梁部材９３の４つの係合孔９３Ｄに夫々係合する。
【００４４】
次に、右側枠部材４２の形状について説明する。図９に示すように、右側枠部材４２は、水平部４２Ａと、垂直部４２Ｂと、覆い部４２Ｃとを備える。水平部４２Ａは、左右方向に延設された細長長方形の板状に形成されている。水平部４２Ａの裏面には、３つの突起部６１が左右方向において等間隔に各々設けられている。突起部６１は筒状に形成されている。これら突起部６１は、筐体９に取り付けられた右側操作ユニット１８の右側取付部７５に設けられた３つの嵌合孔７５Ｅ（図３参照）に夫々嵌合する。
【００４５】
垂直部４２Ｂは、水平部４２Ａの右端部から下方に延設され、細長長方形の板状に形成されている。垂直部４２Ｂの裏面には、４つの突起部６２が上下方向において等間隔に各々設けられている。突起部６２は筒状に形成されている。これら突起部６２は、筐体９に取り付けられた右側操作ユニット１８の右側取付部７５に設けられた４つの嵌合孔７５Ｆ（図３参照）に夫々嵌合する。
【００４６】
覆い部４２Ｃは、垂直部４２Ｂから後方に延設されている。覆い部４２Ｃは、右側面視で、下端部が上端部よりも長い台形状である。それ故、覆い部４２Ｃの後端部４２Ｄは、上部から後方に対して斜め下方に傾斜している。後端部４２Ｄの裏面は、コンロ１の後方に対向する。後端部４２Ｄの裏面には、後端部４２Ｄに沿うようにして３つの係止爪４２Ｅが等間隔で各々設けられている。これら係止爪４２Ｅは、筐体９の前面９Ｅに設けられた３つの被係止部９Ｈ（図３参照）に夫々係止する。
【００４７】
次に、左側枠部材４３の形状について説明する。左側枠部材４３は、水平部４３Ａと、垂直部４３Ｂと、覆い部４３Ｃとを備える。水平部４３Ａは、左右方向に延設された細長長方形の板状に形成されている。水平部４３Ａの裏面には、３つの突起部６５が左右方向において等間隔に各々設けられている。突起部６５は筒状に形成されている。これら突起部６５は、筐体９に取り付けられた左側操作ユニット１９の左側取付部７６に設けられた３つの嵌合孔７６Ｅ（図３参照）に夫々嵌合する。
【００４８】
垂直部４３Ｂは、水平部４３Ａの左端部から下方に延設され、細長長方形の板状に形成されている。水平部４３Ａの裏面には、４つの突起部６８が上下方向において等間隔に各々設けられている。突起部６８は筒状に形成されている。これら突起部６８は、筐体９に取り付けられた左側操作ユニット１９の左側取付部７６に設けられた４つの嵌合孔７６Ｆ（図３参照）に夫々嵌合する。
【００４９】
覆い部４３Ｃは、垂直部４３Ｂから後方に延設されている。覆い部４３Ｃは、左側面視で、下端部が上端部よりも長い台形状である。それ故、覆い部４３Ｃの後端部４３Ｄは、上部から後方に対して斜め下方に傾斜している。後端部４３Ｄの裏面は、コンロ１の後方に対向する。後端部４３Ｄの裏面には、後端部４３Ｄに沿うようにして３つの係止爪４３Ｅが等間隔で各々設けられている。これら係止爪４３Ｅは、コンロ本体３の前面９Ｆに設けられた３つの被係止部９Ｉ（図３参照）に夫々係止する。
【００５０】
次に、図４を参照して、右側操作ユニット１８と左側操作ユニット１９の装着方法について説明する。右側操作ユニット１８の突起部７８Ａ（図６参照）を、第一右側被取付部９１の貫通孔９１Ａに挿通する。その後、右側操作ユニット１８の螺子孔７５Ｇと、その各々に対応する第一右側被取付部９１の螺子孔９１Ｂとの位置合わせをし、螺子（図示外）で締結する。この結果、右側操作ユニット１８はコンロ本体３に装着できる。この場合、延設部７５Ｃが第二右側被取付部９５を覆う。
【００５１】
左側操作ユニット１９の突起部７９Ａ（図７参照）を、第一左側被取付部９２の貫通孔９２Ａに挿通する。その後、左側操作ユニット１９の螺子孔７６Ｇと、その各々に対応する第一左側被取付部９２の螺子孔９２Ｂとの位置合わせをし、螺子（図示外）で締結する。この結果、左側操作ユニット１９はコンロ本体３に取り付けできる。この場合、延設部７６Ｃが第二左側被取付部９６を覆う。
【００５２】
次に、図２，図８，図１０を参照して、枠部材４０の装着方法について説明する。先ず、中央側枠部材４１の装着方法について説明する。図８に示すように、中央側枠部材４１の４つの係合部４４を、その夫々に対応する梁部材９３の４つの係合孔９３Ｄに係合させる。この結果、中央側枠部材４１は、梁部材９３に対して前後方向に着脱可能な装着がなされる。この場合、図１０に示すように、梁部材９３の支持部９３Ｂと、中央側枠部材４１の内側との間には、隙間１２が形成される。ここで、ユーザが樹脂製の中央側枠部材４１に触れたとしても、ユーザが感じる温度は中央側枠部材４１が金属製である場合に比べて低い。それ故、コンロ１の安全性を向上できる。また、中央側枠部材４１の梁部材９３への装着は、隙間１２を挟んで４つの係合部４４及び係合孔９３Ｄを介してのみである。従って、グリルバーナ（図示略）の使用時にグリル扉１７（図１参照）と対向する梁部材９３が高温となっても、中央側枠部材４１へ熱は伝わりにくい。それ故、中央側枠部材４１の温度上昇を抑制でき、コンロ１の安全性をさらに向上できる。また、中央側枠部材４１が梁部材９３に着脱可能なので、ユーザの好みに合わせて、中央側枠部材４１の色を自由に選択できる。
【００５３】
次に、右側枠部材４２の装着方法について説明する。図２に示すように、水平部４２Ａの３つ突起部６１（図９参照）を、その夫々に対応する右側操作ユニット１８の３つの嵌合孔７５Ｅに嵌合させ、垂直部４２Ｂの４つの突起部６２（図９参照）を、その夫々に対応する右側操作ユニット１８の４つの嵌合孔７５Ｆに嵌合させ、さらに覆い部４２Ｃの３つの係止爪４２Ｅ（図９参照）を、その夫々に対応する前面９Ｅの３つの被係止部９Ｈに係止させる。この結果、右側枠部材４２は、コンロ本体３に対して前後方向に着脱可能な装着がなされる。この場合、覆い部４２Ｃの右側面は筐体９の右面９Ｃと略同一平面上に位置する。それ故、コンロ１の右側面の見栄えを向上できる。また、３つの係止爪４２Ｅが３つの被係止部９Ｈに係止することで、樹脂製の覆い部４２Ｃに、上下方向に亘ってコンロ本体３の中央側に向かって湾曲する反りが生じている場合であっても、装着により反りが矯正され、覆い部４２Ｃの右側面は右面９Ｃと同一平面上に位置する。また、コンロ１の長期に亘る使用に伴い、覆い部４２Ｃに歪み等の変形が生じても、変形が抑制される。それ故、コンロ１の右側面の見栄えは向上する。また、右側枠部材４２がコンロ本体３に着脱可能なので、ユーザの好みに合わせて、右側枠部材４２の色を自由に選択できる。
【００５４】
また、覆い部４２Ｃは右側切欠部３３に配置される。覆い部４２Ｃはコンロ本体３の右側面の一部である右側取付部７５の外面７５Ｄ及び前面９Ｅを覆う。従って、ユーザがコンロ１の右斜め前方からコンロ１を見た場合でも、コンロ操作部３０の右縁部を右側枠部材４２が覆って見える。それ故、右側枠部材４２を目立たせることができる。
【００５５】
次に、左側枠部材４３の装着方法について説明する。水平部４３Ａの３つ突起部６５（図９参照）を、その夫々に対応する左側操作ユニット１９の３つの嵌合孔７６Ｅに嵌合させ、垂直部４３Ｂの４つの突起部６８（図９参照）を、その夫々に対応する左側操作ユニット１９の４つの嵌合孔７６Ｆに嵌合させ、さらに覆い部４３Ｃの３つの係止爪４３Ｅ（図９参照）を、その夫々に対応する前面９Ｆの３つの被係止部９Ｉ（図３参照）に係止させる。この結果、左側枠部材４３は、コンロ本体３に対して前後方向に着脱可能な装着がなされる。この場合、覆い部４３Ｃの左側面は筐体９の左面９Ｄと略同一平面上に位置する。それ故、コンロ１の左側面の見栄えを向上できる。また、３つの係止爪４３Ｅが３つの被係止部９Ｉに係止することで、樹脂製の覆い部４３Ｃに、上下方向に亘ってコンロ本体３の中央側に向かって湾曲する反りが発生している場合であっても、装着により反りが矯正され、覆い部４３Ｃの左側面は左面９Ｄと同一平面上に位置する。また、コンロ１の長期に亘る使用に伴い、覆い部４３Ｃに歪み等の変形が生じても、変形が抑制される。それ故、コンロ１の左側面の見栄えは向上する。また、左側枠部材４３がコンロ本体３に着脱可能なので、ユーザの好みに合わせて、左側枠部材４３の色を自由に選択できる。
【００５６】
また、覆い部４３Ｃは左側切欠部３４に配置される。覆い部４３Ｃはコンロ本体３の左側面の一部である左側取付部７６の外面７６Ｄ及び前面９Ｆを覆う。従って、ユーザがコンロ１の左斜め前方からコンロ１を見た場合でも、コンロ操作部３０の左縁部を左側枠部材４３が覆って見える。それ故、左側枠部材４３を目立たせることができる。
【００５７】
このようにして枠部材４０がコンロ本体３に装着される場合、中央側枠部材４１は、右側枠部材４２と左側枠部材４３との間に設けられる。中央側枠部材４１はグリル扉１７（図１）と対向する。中央側枠部材４１、水平部４２Ａ，４３Ａは、枠部材４０の上側部を形成し、コンロ操作部３０の上縁部に対向する。中央側枠部材４１、水平部４２Ａ，４３Ａの前面は同一平面上に位置する。垂直部４２Ｂは、枠部材４０の右側部を形成し、コンロ操作部３０の右縁部に対向する。垂直部４３Ｂは、枠部材４０の左側部を形成し、コンロ操作部３０の左縁部に対向する。また、垂直部４２Ｂ及び覆い部４２Ｃは、コンロ本体３の右前角部を覆う。垂直部４３Ｂ及び覆い部４３Ｃは、コンロ本体３の左前角部を覆う。
【００５８】
また、図１０に示すように、覗き窓１６の上側は、中央側枠部材４１よりも、後方（奥側）に位置する。上述したように、枠部材４０の上側部を構成する水平部４２Ａ、中央側枠部材４１及び水平部４３Ａの前面は、略同一平面上に位置する。また、上述したように、覗き窓１６、操作パネル２１，２４の前面も略同一平面上に位置する。従って、覗き窓１６、操作パネル２１，２４の上側は、枠部材４０の上側部よりも後方（奥側）に位置する。従って、コンロ１を使用する場合、枠部材４０の上側部に、煮汁が付着する場合があっても、そこから落下する煮汁は、覗き窓１６及び操作パネル２１，２４の上側に付着しにくい。それ故、枠部材４０の上側部から落下する煮汁が、枠部材４０の上側部とコンロ操作部３０との境界部を介してコンロ本体３の内部に侵入することを防止できる。
【００５９】
次に、コンロ１の色分けについて説明する。図１１では、枠部材４０が備える中央側枠部材４１、右側枠部材４２及び左側枠部材４３は同一色としている。枠部材４０の色を、コンロ操作部３０とは異なる色にすることで、ユーザが触る機会が多く注意を引きやすいコンロ操作部３０を、目立たせることができる。このように、中央側枠部材４１、右側枠部材４２、左側枠部材４３や、コンロ操作部３０が備える操作パネル２１，２４等の部品毎に、色分けをすれば、塗装をすることなく、コンロ操作部３０を容易に色分けできる。また、枠部材４０が正面視逆Ｕ字形状であるので、コンロ１の全体の中で、ユーザの注意を引きやすいコンロ操作部３０をより目立たせることができる。
【００６０】
以上説明したように、コンロ操作部３０の下縁部を除く外周縁には枠部材４０が設けられる。それ故、中央側枠部材４１、右側枠部材４２、左側枠部材４３、操作パネル２１，２４等の部品毎に、色分けをすれば、塗装をすることなくコンロ操作部３０を容易に色分けできる。また、コンロ操作部３０の外周縁に正面視逆Ｕ字形状の枠部材４０が装着されるので、コンロ操作部３０をより目立たせることができる。さらに、枠部材４０がコンロ本体３に対して前後方向に着脱可能であるので、ユーザは好みに合わせて枠部材４０の色を選択し、コンロ１の前面の色を部分的に自由に変更できる。
【００６１】
また、右側枠部材４２の垂直部４２Ｂ及び覆い部４２Ｃは、コンロ本体３の右前角部を覆う。同様に、左側枠部材４３の垂直部４３Ｂ及び覆い部４３Ｃは、コンロ本体３の左前角部を覆う。従って、ユーザがコンロ１の右斜め前方又は左斜め前方からコンロ１を見た場合でも、コンロ操作部３０を枠部材４０が覆って見える。それ故、枠部材４０を目立たせることができる。
【００６２】
また、係止爪４２Ｅが被係止部９Ｈに係止され、係止爪４３Ｅが被係止部９Ｉに係止される。従って、成形加工される樹脂製の覆い部４２Ｃ，４３Ｃに、上下方向に亘ってコンロ本体３の中央側に向かって湾曲する反りが発生した場合であっても、コンロ本体３へ装着させることで、反りが矯正される。また、コンロ１の長期に亘る使用に伴い、覆い部４２Ｃ，４３Ｃに、歪み等の変形が生じても、変形は抑制される。それ故、コンロ１の右側面及び左側面の見栄えを向上させることができる。
【００６３】
また、覗き窓１６及び操作パネル２１，２４の上側は、中央側枠部材４１上側部よりも後方に位置する。それ故、枠部材４０の上側部から落下する煮汁がコンロ本体３の内部に侵入することを防止できる。
【００６４】
また、同一平面上にある覗き窓１６及び操作パネル２１，２４は、上部から前方に向かって斜め下方に傾斜している。それ故、ユーザが上側からコンロ１を見下ろす場合にコンロ操作部３０を視認し易い。また、操作パネル２１，２４の下側に、点火スイッチ２２，２３，２５が設けられている。それ故、コンロ１の操作性を向上させることができる。さらに、覗き窓１６及び操作パネル２１，２４が傾斜していることで、コンロ操作部３０の見栄えをより向上させることができる。
【００６５】
また、覆い部４２Ｃの右側面と、筐体９の右面９Ｃとは同一平面上に位置する。同様に、覆い部４３Ｃの左側面と、筐体９の左面９Ｄとは同一平面上に位置する。それ故、コンロ１の右側面及び左側面の見栄えをさらに向上させることができる。
【００６６】
また、中央側枠部材４１は樹脂製であるので、枠部材４０が金属等で形成される場合に比較して、ユーザが枠部材４０に触れた場合に感じる温度は低い。それ故、コンロ１の安全性を向上させることができる。
【００６７】
なお、本発明は上記実施形態に限定されることはなく、種々の変更が可能である。例えば、コンロ１は、テーブルコンロでなくビルトインコンロや電磁調理器等であってもよい。また、コンロ１を操作する操作パネルを上面に備えてもよい。この場合であっても、枠部材４０はコンロ操作部３０の下縁部を除く周縁部に取り付けることで、コンロ操作部３０を目立たせることができる。
【００６８】
また、枠部材４０は、中央側枠部材４１、右側枠部材４２、左側枠部材４３の３部品からなるが、これらの部品が一体になっていてもよい。また、これらの部品は異なる色であってもよい。また、右側枠部材４２の覆い部４２Ｃ、左側枠部材４３の覆い部４３Ｃは、各々、筐体９の右面９Ｃ、左面９Ｄまで延設されていなくてもよい。また、右側枠部材４２及び左側枠部材４３は金属で形成されていてもよい。
【００６９】
なお、本実施の形態においては、コンロ１が本発明の「加熱調理器」に相当し、コンロ本体３が本発明の「調理器本体」に相当し、標準バーナ５、強火力バーナ６が本発明の「加熱手段」に相当し、右面９Ｃが本発明の「第一右側面」に相当し、外面７５Ｄが本発明の「第二右側面」に相当し、左面９Ｄが本発明の「第一左側面」に相当し、前面９Ｅが本発明の「右側段差面」に相当し、前面９Ｆが本発明の「左側段差面」に相当し、
外面７６Ｄが本発明の「第二左側面」に相当し、コンロ操作部３０が本発明の「前面部」に相当し、中央側枠部材４１、水平部４２Ａ，４３Ａが本発明の「上側部」に相当し、垂直部４２Ｂが本発明の「右側部」に相当し、垂直部４３Ｂが本発明の「左側部」に相当し、覆い部４２Ｃが本発明の「右側覆い部」に相当し、覆い部４３Ｃが本発明の「左側覆い部」に相当し、後端部４２Ｄが本発明の「右側覆い部の後端部」に相当し、後端部４３Ｄが本発明の「左側覆い部の後端部」に相当し、係止爪４２Ｅが本発明の「右側固定部」に相当し、係止爪４３Ｅが本発明の「左側固定部」に相当し、被係止部９Ｈが本発明の「右側被固定部」に相当し、被係止部９Ｉが本発明の「左側被固定部」に相当し、覗き窓１６、操作パネル２１，２４が本発明の「領域」に相当し、点火スイッチ２２，２３，２５が本発明の「操作スイッチ」に相当する。
【符号の説明】
【００７０】
１      コンロ
３      コンロ本体
５      標準バーナ
６      強火力バーナ
９Ｃ    右面
９Ｄ    左面
９Ｅ，９Ｆ  前面
９Ｈ，９Ｉ  被係止部
１６    覗き窓
１７    グリル扉
２１，２４  操作パネル
２２，２３，２５  点火スイッチ
３０    コンロ操作部
３３    右側切欠部
３４    左側切欠部
３９    グリル庫
４０    枠部材
４１    中央側枠部材
４２Ａ，４３Ａ    水平部
４２Ｂ，４３Ｂ    垂直部
４２Ｃ，４３Ｃ    覆い部
４２Ｄ，４３Ｄ    後端部
４２Ｅ，４３Ｅ    係止爪
７５Ｄ，７６Ｄ    外周面
【図１】
2014054466.tif 000003
【図２】
2014054466.tif 000004
【図３】
2014054466.tif 000005
【図４】
2014054466.tif 000006
【図５】
2014054466.tif 000007
【図６】
2014054466.tif 000008
【図７】
2014054466.tif 000009
【図８】
2014054466.tif 000010
【図９】
2014054466.tif 000011
【図１０】
2014054466.tif 000012
【図１１】
2014054466.tif 000013